(57)【特許請求の範囲】
【請求項１】
第一の方法段階で改質ガソリンから分別蒸留によって、選択された芳香族化合物または選択された複数の芳香族化合物を含有する改質留分を得、
この改質留分を、第二の方法段階で担体上にニッケルまたはパラジウムを担持した担持触媒を水素化触媒として選択的に水素化しそしてその際に水素化条件を、実質的に非芳香族化合物が水素化されそしてその際に共役ジオレフィンおよび共役トリオレフィンができるだけ完全に水素化される様に設定し、
そして次いで第三の方法段階で、第二の方法段階からの選択的に水素化された芳香族化合物含有生成物を抽出蒸留および／または液−液抽出によって芳香族化合物と非芳香族化合物とに分離する
改質ガソリンから純粋な芳香族化合物を製出する方法。
【請求項２】
第一の方法段階で芳香族成分として主にベンゼンを含有する改質留分を得る、請求項１に記載の方法。
【請求項３】
置換基中の炭素原子数が１〜８であるＮ−置換モルホリン、Ｎ−メチルピロリドン、スルホラン、炭素原子数２〜５のアルカンジオールおよび／またはそれのモノ−および／またはジアルキルエーテルよりなる群から選ばれた選択性溶剤を用いて抽出蒸留および／または液−液抽出を実施する請求項１又は２に記載の方法。
【請求項４】
置換基中の炭素原子数が１〜８であるＮ−置換モルホリンがＮ−ホルミルモルホリンである請求項３に記載の方法。
【請求項５】
炭素原子数２〜５のアルカンジオールおよび／またはそれのモノ−および／またはジアルキルエーテルがエチレングリコールまたはエチレングリコール誘導体である請求項３に記載の方法。
【請求項６】
抽出蒸留および／または液−液抽出に続いて純粋な芳香族化合物を選択性溶剤から蒸留分離する請求項１〜５のいずれか一つに記載の方法。
【発明の詳細な説明】
【０００１】
【産業上の利用分野】
本発明は改質ガソリンから純粋な芳香族化合物を製出する方法に関する。更に本発明はこの方法を実施するための装置に関する。
【０００２】
【従来技術】
改質ガソリンは、改質、特に接触改質によって原油から製出される芳香族化合物の豊富なガソリンである。改質の際に石油あるいは原油に含まれるアルカン類およびシクロアルカン類について異性化反応、転移反応、環化反応、脱水素反応および類似の反応が生じる。接触的改質の際に生じる芳香族化合物の豊富な改質ガソリンは芳香族化合物を製造するための重要な原料である。芳香族化合物、特にベンゼン、トルエン、キシレンおよびエチルベンゼンは化学工業にとって、中でも合成樹脂および化学繊維の製造に重要な原料である。更に芳香族化合物は自動車燃料のオクタン価増強剤として使用される。化学工業で芳香族化合物がますます要求されているので、原油留分の接触改質の際の反応条件および使用される触媒は高い芳香族化合物収率を考慮したものである。しかしながらこの場合、同時に比較的に多量に不飽和の非芳香族化合物、特にオレフィンが生じる。しかし化学工業では先ず第一に純粋な芳香族化合物、即ち不飽和の非芳香族化合物での汚染ができるだけ少ない芳香族化合物を要求している。これらの非芳香族化合物での汚染は従来には多大な費用をかけて物理化学的分離法で芳香族化合物から分離して除くしかなかったし、それでも非芳香族化合物を完全に除くことは一般に不可能である。芳香族化合物、特に純粋ベンゼンの純度の目安としては、従って不飽和の非芳香族化合物での汚染の目安としては臭素価（Ｂｒｏｍｉｎｅ  Ｉｎｄｅｘ）および硫酸着色値（Ａｃｉｄ  Ｗａｓｈ  Ｃｏｌｏｒ）が使用される。化学工業の要求によると、純粋ベンゼンの臭素価は２０の限界値を超えるべきでないし、硫酸着色値は１の上限値を超えるべきでない。
【０００３】
芳香族化合物を分離するために使用される公知の方法では、芳香族化合物含有混合物を最初に抽出蒸留または液−液抽出に付す。上記の純度限界値を達成するために、抽出の際に得られる芳香族化合物留分はしかしながら費用をかけて後処理しなければならない。一般に化学的後処理は、濃硫酸で洗浄するかまたはこの留分を漂布土で処理することによって実施する。両方の化学的後処理法は煩雑で、かつ多大な費用がかかる。硫酸洗浄の際に生じる酸汚泥も多大な費用をかけなければ廃棄処理できない。漂布土との反応は比較的に高い温度で実施され、漂布土に付着したままのポリマーが生じる。同時に不飽和のオレフィン性非芳香族化合物よりなる比較的に高い硫酸着色値をもたらすオリゴマーが生じる。それ故に漂布土での処理に続いて、非芳香族化合物からの純粋芳香族化合物の多大な費用のかかる蒸留分離が必要である。
【０００４】
【発明が解決しようとする課題】
それ故に本発明の技術的課題は、工業界により要求される純度、特に臭素価および硫酸着色値に関しての全ての要求を満足する高純度の芳香族化合物を製出することができそして機能的な確実性の他に簡単さおよび少ない経費であることに特徴がある冒頭に記載の方法を提供することである。更に本発明の技術的課題はかゝる方法を実施するための装置を提供することでもある。
【０００５】
【課題を解決するための手段】
これらの技術的課題は本発明に従って、改質ガソリンを最初の操作段階で選択的に水素化しそしてその際に水素化条件を、実質的に非芳香族化合物、特にオレフィン、ジオレフィンおよびトリオレフィンが水素化される様に設定し、
そして次いで第二の操作段階で、最初の操作段階からの選択的に水素化された芳香族化合物含有生成物を抽出蒸留および／または液−液抽出によって芳香族化合物と非芳香族化合物とに分離する
改質ガソリンから純粋な芳香族化合物を製出する方法によって解決される。
【０００６】
本発明において改質ガソリンは改質ガソリン含有混合物または改質留分あるいは改質ガソリンからの留分も意味する。
本発明は、改質ガソリン中の不飽和の非芳香族化合物、特にオレフィン、ジオレフィンおよびトリオレフィンの選択的な水素化を一方としそして水素化段階からの生成物の抽出蒸留および／または液−液抽出をもう一方とする組合せによって非常に高純度の芳香族化合物を製出することができるという知見に基づいている。更に本発明は、純粋な芳香族化合物を製造するための従来技術から公知の冒頭に記載の抽出方法の場合に、抽出生成物の高い硫酸着色値が特にオレフィンに起因していることおよび非常に僅かなジオレフィン含有量が高い硫酸着色値の原因であるという知見に基づいている。特に本発明者は、中でもＣ6 −シクロジエンおよびＣ6 −ジエンおよびＣ6 −トリエンが高い硫酸着色値をもたらすことを見出した。このことは中でも、沸点がベンゼンの沸点に近くそしてそれ故にベンゼンから分離することが困難である上記のオレフィンについても当て嵌まる。本発明によれば特にこれらのオレフィンは、抽出段階の前に連結された水素化段階でも選択的に水素化される。選択的水素化と後続の抽出蒸留および／または液−液抽出との本発明に従う組合せによって、臭素価が２０未満でありそして硫酸着色値が１未満である芳香族化合物が得られる。この限りにおいては、本発明の方法で製造される純粋な芳香族化合物は臭素価および硫酸着色値に関して化学工業で求められるあらゆる要求を満足している。同時にこの方法は多大な費用を必要としない。それ故に、従来技術から公知の方法に比較して明らかな長所を有している。
【０００７】
本発明の範囲において特に重要である本発明の方法の特に有利な一つの実施形態によれば、芳香族成分として主としてベンゼンを含有する改質留分を改質ガソリンとして使用する。この改質留分あるいは蒸留留分を製造するためには、改質ガソリンは選択的水素化の前に最初に分別蒸留に付し、その際に得られる改質留分は原則として芳香族化合物としてベンゼンしか含有していない。本発明のこの実施形態は、一方では改質ガソリンの脱ベンゼンが達成されそしてもう一方では同時に、化学工業にとって非常に重要である純粋なベンゼンが製造できるという長所に特徴がある。燃料に加工される改質ガソリンの脱ベンゼンは衛生上の理由からおよび燃料中のベンゼン含有量を低減させる理由からますます要求されている。本発明の別の特に有利な一つの実施形態によれば、改質ガソリンとして選択された炭素原子数Ｃx の芳香族化合物または選択された複数の炭素原子数Ｃx Ｃy ・・・の芳香族化合物を含有する改質留分を使用する。かゝる改質留分または蒸留留分は改質ガソリンから分別蒸留によって得られ、その際に他の炭素原子数の芳香族化合物は主として蒸留分離される。特に有利な一つの実施形態によれば改質留分は一つの炭素原子数の芳香族化合物、例えばＣ6 −またはＣ8 −芳香族化合物しか含有していない。本発明の方法の別の特に有利な実施形態によれば改質留分は、殊にベンゼン、トルエンまたはキシレンの沸点範囲にある２または３種の炭素原子数を有する芳香族化合物を含有している。請求項２および３に従う本発明の方法の実施形態は、臭素価および硫酸着色値に関して特に純粋な芳香族化合物を得ることができるという長所に特徴がある。最初の操作段階で、担体にニッケルまたはパラジウムが担持された担持触媒を水素化触媒として水素化する本発明の方法の一つの実施形態が特に有利であることが判っている。酸化アルミニウム担体にニッケルまたはパラジウムが担持された担持触媒を水素化触媒として使用するのが有利である。しかしながら本発明において他の構成の水素化触媒も使用することができる。選択的水素化のための水素化条件は所望の水素化反応および所望の水素化率次第で設定する。当業者はその知識の範囲において、これらの条件、例えば圧力、温度、触媒組成、水素／炭化水素−比または水素化反応器の装填量および固定床容積を適当に設定できる。選択的水素化は、特にジオレフィンおよびトリオレフィンが完全に水素化される様に実施するのが有利である。本発明の特に有利な実施形態によれば水素化条件は、共役ジオレフィンおよびトリオレフィンが完全に水素化される様に設定する。沸点がベンゼンの沸点に近くそしてそれ故にベンゼンと分離するのが困難であるＣ6 −ジエンおよびＣ6 −トルエンは、選択的水素化によってできるだけ完全に水素化する。
【０００８】
水素化の後にガス状成分を水素化反応器から除き、液状の選択的に水素化された芳香族炭化水素を未だ溶解している残留ガスと一緒に抽出蒸留および／または液−液抽出に供給する。抽出蒸留の際におよび液−液抽出の際に、単離すべき物質を残りの物質から分離するための抽出剤として選択性溶剤を用いて実施する。本発明の方法において芳香族化合物は使用される選択性溶剤に溶解されそしてこの溶剤にてエキストラクトが生じ、一方、非芳香族化合物はラフィネートから除かれる。抽出蒸留および／または液−液抽出をＮ−ホルミルモルホリン、Ｎ−メチルピロリドン、スルホラン、エチレングリコールまたはエチレングリコール誘導体より成るなる群の選択性溶剤を用いて実施する本発明の方法の一つの実施形態が殊に有利であることが判っている。本発明の特に有利な実施形態によれば置換基中炭素原子数１〜８のＮ−置換モルホリンを選択性溶剤として使用する。本発明の方法の別の特に有利な一つの実施形態によれば炭素原子数２〜５のアルカンジオールおよび／またはそれらのモノ−および／またはジアルキルエーテルを選択性溶剤として使用する。本発明の範囲においては、上記の溶剤の混合物も選択性溶剤として使用することができる。更に抽出で芳香族化合物を分離するための選択性溶剤として適する他の溶剤も使用することができる。更に溶剤／水−混合物も使用することができる。
【０００９】
抽出を実施する第二の操作段階で選択的水素化した改質ガソリンおよび他の水素化された芳香族化合物含有原料および／またはこれら原料の蒸留留分の混合物を使用することも本発明の範囲にある。
純粋な芳香族化合物を抽出蒸留および／または液−液抽出の後で選択性溶剤から蒸留によって分離するのが有利である。
【００１０】
以下に本発明を実施例によって図面を用いて更に詳細に説明する。
図１：  本発明を実施するための装置、
図２：  後記で説明する実施例１および２のグラフである。
以下に本発明の方法を図１に示した、該方法を実施するための装置によって詳細に説明する。図１は水素化反応器１および後続の抽出装置２を備えた、本発明の方法を実施するための装置を図示している。水素化反応器１は改質ガソリンを供給するための第一の供給導管３を有している。実施例においては、分別蒸留によって改質ガソリンから製造される改質留分を供給導管３を通して水素化反応器１に供給する。水素化反応器１は水素を供給するための第二の供給導管４を有している。水素の供給については、水素の豊富なガスの供給も本発明の範囲に包含される。水素化反応器１は更に水素化触媒より成る固定床を有している。有利な実施形態においては、酸化アルミニウム担体にニッケルおよびパラジウムが担持された担持触媒を使用する。選択的水素化反応の水素化条件、例えば温度、圧力、水素／炭化水素−比並びに水素化反応器１への装填量および固定床容積は所望の水素化反応次第でおよび所望の水素化率次第で設定される。ガス状成分は排出導管１０を通して水素化反応器１を離れる。選択的水素化段階からの選択的に水素化された芳香族化合物含有液状生成物は未だ溶解している残留ガスと一緒に、水素化反応器１を連結導管５を通して離れる。
【００１１】
抽出装置２は選択的水素化段階からの選択的に水素化された芳香族化合物含有液状生成物のための連結導管５を介して水素化反応器１に連結されている。図１に従う実施例においては、抽出装置２は抽出蒸留塔である。図１で知ることができる通り、水素化段階からの生成物は連結導管５を介して抽出蒸留塔の中間部分に供給される。抽出蒸留塔では芳香族化合物が非芳香族化合物から分離される。この目的のために抽出装置２は選択性溶剤のための供給手段６を有している。図１に示す通り、選択性溶剤は抽出蒸留塔の上方部分に供給手段６を通して供給される。選択性溶剤は非芳香族化合物と選択性溶剤に溶解された芳香族化合物（抽出物）との蒸留分離を実現する。抽出装置２はこの目的のために選択性溶剤と芳香族化合物とより成るエキストラクトのための第一の排出導管７を有している。更に抽出装置２は非芳香族化合物を含有するラフィネートのための第二の排出導管８も有している。
【００１２】
本発明の特に有利な実施形態によればおよび図１に従う実施例において、抽出液のための第一の排出導管７は選択性溶剤と純粋な芳香族化合物とに蒸留分離するための蒸留装置９に連結されている。図１に従う実施例においては、蒸留装置９で蒸留除去される選択性溶剤は供給手段６を介して抽出蒸留塔に供給される。蒸留装置９で蒸留分離された純粋な芳香族化合物は純粋芳香族化合物用導管１１を通して排出され、後続の用途に導かれる。
【００１３】
次に本発明を実施例によって更に詳細に説明する。全ての実施例にＡＳＴＭＤ−１４９２に従う臭素価、ＡＳＴＭ  Ｄ−８４８に従う硫酸着色値（ＡｃｉｄＷａｓｈ  Ｃｏｌｏｒ，  ＡＷＣ）およびＡＳＴＭ  Ｄ−１２０９に従うハーゼン色指数（Ｈａｚｅｎ−Ｆａｒｂｚａｈｌ）を掲載する。
最初に従来技術あるいは冒頭の記載した従来公知の方法に相応して、接触改質からのベンゼンの豊富な改質留分を抽出蒸留に付す。抽出蒸留のためのこの使用生成物は、改質触媒の触媒使用時間と共に上昇する比較的に高いオレフィン含有量（表１参照）を示す。抽出蒸留の後にベンゼン生成物は＜１０００ｐｐｍの非芳香族化合物含有量、＜２０の臭素価および常に１を超える硫酸着色値を有している。ベンゼン生成物の高い硫酸着色値は、特にＣ6 −シクロジエン（中でもメチル−１，３−シクロペンタジエン：沸点７３℃および１，３−シクロヘキサジエン：沸点８１．５℃）またはＣ6 −ジオレフィンおよびＣ6 −トリオレフィン（中でもメチル−１，３−ペンタジエン：沸点約７６℃または１，３，５−ヘキサトリエン：沸点７７．６℃または２，６−ヘキサジエン：沸点８０℃）の群に属する痕跡量のオレフィンによって引き起こされることが既に確認されている。これらのオレフィンは、ベンゼンの沸点に近い沸点を有しており、それ故にベンゼンと分離するのが困難である。本発明者は、特にメチル−１，３−シクロペンタジエン（ＭＣＰＤＥＮ）が痕跡量で既にベンゼン生成物の高い硫酸着色値の原因となることを知っている。例えば＜１の硫酸着色値の純粋ベンゼンに５ｐｐｍのＭＣＰＤＥＮを添加すると、それによって硫酸着色値が２に高まる。次の表１に抽出蒸留に関するベンゼン−およびＭＣＰＤＥＮ含有量を改質触媒の触媒使用時間との関係を示す。選択性溶剤／炭化水素の重量比は抽出蒸留の場合に２．４である。以降において、使用生成物は抽出蒸留に供給される生成物でありそしてベンゼン生成物は抽出蒸留の後の生成物である。
【００１４】
表１：
────────────────────────────────────
触媒使用時間                              １００    １０００  １５００
────────────────────────────────────
使用生成物中のベンゼン            重量%     ６０      ５８        ６１
使用生成物中のＭＣＰＤＥＮ        ｐｐｍ    ３５      ８３      ９００
ベンゼン生成物中のＭＣＰＤＥＮ    ｐｐｍ    １５      ２５      １３９
────────────────────────────────────
表１から判る通り、抽出蒸留後のベンゼン生成物中にも比較的に多量のＭＣＰＤＥＮが含まれており、これが高い硫酸着色値の原因である。次にベンゼン生成物を１６０〜２００℃の温度で漂布土にて浄化する。この漂布土処理した生成物は１２０の臭素価、＞１４の硫酸着色値および３８０のハーゼン色指数を示す。ＭＣＰＤＥＮおよび他のＣ6 −ジエンは完全に転化されている。次いで漂布土処理からの生成物の蒸留処理が必要とされる。この蒸留処理からの純粋なベンゼンは４の臭素価、＜１の硫酸着色値および＜３のハーゼン色指数を示す。しかしながら最後に挙げた精製手段には非常に多大な費用がかかる。
【００１５】
以下の４つの実施例においては、請求項１の本発明の方法に相応する抽出蒸留を、オレフィンを選択的に水素化しそして芳香族化合物ができるだけ飽和炭化水素に転化しないように、選択的水素化段階を連結する。
実施例１（表２）
この実施例のために、６５ｐｐｍのトルエン、３０００の臭素価および１２０ｐｐｍのＭＣＰＤＥＮ含有量を有する、接触改質によって生じるベンゼン最高含有量の改質留分を使用する。表２に実験条件および測定結果を、選択的水素化を行わずに抽出蒸留だけを実施する例１ａと対比して掲載する。例１ｂ〜１ｄの場合には本発明の方法に相応して選択的水素化を抽出蒸留と組合せて実施する。選択的水素化の触媒としては担体の酸化アルミニウムの上にニッケルを担持した担持触媒を三つの全ての例で使用した。選択的水素化は例１ｂ〜１ｄにおいて、使用するベンゼンの０．９６% だけしかシクロヘキサンに水素化されない様に実施する。抽出蒸留（ＥＤ）は例１ａ〜１ｄの全てにおいて溶剤としてのＮ−ホルミルモルホリンおよび５０の抽出蒸留理論段数を用いて実施する。抽出蒸留の条件のもとで表に記載した溶剤／炭化水素−使用比は抽出蒸留塔における選択性溶剤と使用した炭化水素との重量比を意味する。蒸留塔の熱必要量は、選択性溶剤から純粋のベンゼンを分離するための、抽出蒸留塔の後に連結される蒸留装置あるいは蒸留塔９の熱必要量を意味する。熱必要量はここおよび以下の表３および４において、生じるベンゼン１ｋｇ当たりのｋＪとして示す。
【００１６】
0004514839.tif 000002
表２の値は、選択的水素化の場合に改質留分の臭素価が３３０に低下することを示している。更に選択的水素化によってＣ6 −ジオレフィンは検出限界より下の濃度に減少する。例としてこの表には、＜１ｐｐｍに減少したＭＣＰＤＥＮ−含有量を掲載する。抽出蒸留からのベンゼン生成物についての値は、選択的水素化を行わない例１ａの場合に不充分な高い臭素価および不充分な高い硫酸着色値が測定されるが、選択的水素化を行っている例１ｂ〜１ｄでは臭素価は＜１０でありそして硫酸着色値は＜１でありそして従ってこうして製造される純粋ベンゼンは全ての要求を満足することを証明している。例１ｂ〜１ｄを比較すると、２．０の溶剤／炭化水素−使用比の場合にも要求された値を有する純粋なベンゼンが得られることを示している。この使用比の低い値は抽出蒸留塔および蒸留塔における同じカラム寸法および少ない相対的熱必要量で装填量が比較的に多いことを意味している。
【００１７】
実施例２（表３）
この実施例のために実施例１に相応する改質留分を使用する。選択的水素化の触媒としては担体としての酸化アルミニウムにパラジウムを担持した担持触媒を使用する。選択的水素化はベンゼンの約０．２９% しかシクロヘキサンに水素化されないように実施例１の場合よりも穏やかに実施する。抽出蒸留するための水素化した使用生成物は１．７３０の臭素価および４ｐｐｍのＭＣＰＤＥＮ含有量を有している。この抽出蒸留は選択性溶剤としてのＮ−ホルミルモルホリンおよび５０の抽出蒸留塔理論段数を用いて例２ａ〜２ｄの全ての実施例においてＮ−ホルミルモルホリンを用いて実施する。
【００１８】
0004514839.tif 000003
表３の例２ｂ〜２ｄを比較すると、実施例１に比べて水素化が少ないかあるいは穏やかであるために２．０の低い溶剤／炭化水素−使用比の場合には満足な臭素価および硫酸着色値を得ることができないことが判る。しかしながら実施例１および２を特に例１ｂおよび２ｂに関して比較すると、水素化条件あるいは溶剤／炭化水素−使用比を設定することによって方法の最適化が所望の比次第で可能であることが判る。
【００１９】
図２において純粋ベンゼンの臭素価を溶剤／炭化水素−使用比の関数として示している。測定点１ａは、選択的水素化を実施していない例１ａで得られる値を表２に示したものである。連続曲線２は選択的水素化を、使用するベンゼンの約０．９６% をシクロヘキサンに水素化する様に実施した表２の例１ｂ〜１ｄの相応する値を示している。測定点２ａは選択的水素化を行っていない表３の個々の実施例を示している。図２の点線は臭素価についての限界値２０を示している。図２から、水素化条件あるいは水素化の程度を変更することによって並びに溶剤／炭化水素−使用比を変更することによって方法を所望の結果次第で、即ち一方では付随するベンゼン損失量次第でおよびもう一方では所望の臭素価次第で変更することができる。
【００２０】
実施例３（表４）：
この実施例においては、請求項２で請求している様に改質ガソリンの脱ベンゼンを純粋ベンゼンの製造下に実施する。１６５℃の蒸留沸点を有する改質ガソリンを最初に分別蒸留に付す。蒸留での頂部生成物は使用したベンゼンの９８% を含有している。表４は、選択的水素化を実施していない例３ａ並びに酸価アルミニウムにニッケルを担持した担持触媒で接触的に水素化している例３ｂおよび３ｃを示している。選択的水素化は、ベンゼン損失が約０．８９% である様に実施する。抽出蒸留では、三つの例３ａ〜３ｃ全部で選択性溶剤としてのＮ−ホルミルモルホリン並びに４８の抽出蒸留塔理論段数を用いて実施する。
【００２１】
0004514839.tif 000004
例３ａは、選択的水素化なしではベンゼン生成物で不満足な臭素価および硫酸着色価が得られることを示している。例３ｂおよび３ｃを比較すると、ここで選択された水素化条件（ベンゼン損失量０．８９% ）のもとでは１．５の溶剤／炭化水素−使用比の場合にも満足な臭素価および硫酸着色値を得ることができることを実証している。この観点からこの例は図２に関して上に述べた本発明の方法を最適にする例である。例３ｃでは非常に低い溶剤／炭化水素−使用比、従って一方では低いエネルギー必要量が達成されそしてもう一方では比較的に少ないベンゼン損失量の場合に臭素価および硫酸着色値に関する満足な結果が達成される。
【００２２】
実施例４、表５
芳香族化合物、即ちベンゼン、トルエン、エチルベンゼンおよびキシレンを含有する改質留分を使用しそしてこの改質留分にて液−液抽出を実施する。この目的のために選択的溶剤としてＮ−ホルミルモルホリン／水（９５／５）の混合物を例４ａ〜４ｃの３つの全ての例において使用しそして液−液抽出の理論段数はそれぞれ５０である。選択的水素化のための触媒としては例４ｂおよび４ｃにおいては酸化アルミニウムにニッケルを担持した担持触媒を使用しそしてこの選択的水素化をここでは、シクロヘキサンに水素化することによるベンゼン損失量が１% である様に実施する。個々の熱消費量を表５にｋＪ／ｋｇ（芳香族生成物）の単位で示す。
【００２３】
0004514839.tif 000005
液−液抽出にて芳香族化合物、即ちベンゼン、トルエン、エチルベンゼンおよびキシレンを選択性溶剤を用いて分離する。抽出で得られるこの芳香族化合物から純粋なベンゼンを蒸留分離する。例４ａは、選択的水素化なしでは純粋ベンゼンを不満足な高い臭素価および硫酸着色値を有していることを示している。これに対して選択的水素化を前に連結すると最適な値を得ることができる。
【図面の簡単な説明】
【図１】図１は本発明を実施するための装置の一例を示す概略図である。
【図２】図２は実施例１および２における純粋ベンゼンの臭素価を溶剤／炭化水素−使用比の関数として示すグラフである。
【符号の説明】
１・・・水素化反応器
２・・・抽出装置
３，４・・・供給導管
５・・・連結導管
６・・・供給装置
７，８  ・・・排出導管
９・・・蒸留装置
【図１】
0004514839.tif 000006
【図２】
0004514839.tif 000007